(57)【要約】  一態様の切削インサートは、上面、下面、前側面及び後側面を有する。上面は、第１上刃及び上拘束面を有する。下面は、下拘束面を有する。下拘束面は、Ｖ字形状の下溝を有する。下溝は、第１領域、第２領域及び第３領域を有する。第１領域は、上拘束面の反対側に位置する。第２領域は、第１領域よりも前側面の側に位置する。第３領域は、第１領域よりも後側面の側に位置する。第１領域のくさび角を第１角、第２領域のくさび角を第２角、第３領域のくさび角を第３角とする。第１角が、第２角及び第３角よりも小さい。
2020175457.tif 000002
【特許請求の範囲】
【請求項１】
上面と、
前記上面の反対側に位置する下面と、
前記上面及び前記下面の間に位置する前側面と、
前記上面及び前記下面の間であって、前記前側面の反対側に位置する後側面と、を有し、
前記上面は、
前記前側面との交わりに位置する第１上刃と、
前記第１上刃よりも前記後側面の近くに位置し、ホルダに当接可能な上拘束面と、を有し、
前記下面は、ホルダに当接可能な下拘束面を有し、
前記下拘束面は、前記前側面の近くに位置する領域から前記後側面に向かって延びたＶ字形状の下溝を有し、
前記下溝は、
前記上拘束面の反対側に位置する第１領域と、
前記第１領域よりも前記前側面の側に位置する第２領域と、
前記第１領域よりも前記後側面の側に位置する第３領域と、を有し、
前記下溝の延びた方向に直交する断面において、前記第１領域のくさび角を第１角、前記第２領域のくさび角を第２角、前記第３領域のくさび角を第３角としたとき、
前記第１角が、前記第２角及び前記第３角よりも小さい、切削インサート。
【請求項２】
前記第２角が、前記第３角よりも小さい、請求項１に記載の切削インサート。
【請求項３】
前記上拘束面は、前記前側面の近くに位置する領域から前記後側面に向かって延びたＶ字形状の上溝を有し、
前記上溝は、前記下溝に対して平行に延びている、請求項１又は２に記載の切削インサート。
【請求項４】
前記上溝の延びた方向に直交する断面において、前記上溝のくさび角を第４角としたとき、
前記第１角が、前記第４角よりも小さい、請求項３に記載の切削インサート。
【請求項５】
前記第３領域は、前記上拘束面の反対側に位置する第１部位を有し、
前記第１部位における前記第３角が、前記第４角と同じである、請求項４に記載の切削インサート。
【請求項６】
前記第１領域は、
凹曲面形状の第１底部と、
前記下溝の延びた方向に沿って前記第１底部に接続された平らな第１傾斜面を有し、
前記下溝の延びた方向における前記第１底部の幅を第１幅、前記下溝の延びた方向における前記第１傾斜面の幅を第２幅としたとき、
前記第１幅の最大値が、前記第２幅の最大値よりも小さい、請求項１〜５のいずれか１つに記載の切削インサート。
【請求項７】
前記第２領域は、
凹曲面形状の第２底部と、
前記下溝の延びた方向に沿って前記第２底部に接続された平らな第２傾斜面を有し、
前記下溝の延びた方向における前記第２底部の幅を第３幅、前記下溝の延びた方向における前記第２傾斜面の幅を第４幅としたとき、
前記第３幅の最大値が、前記第４幅の最大値よりも大きい、請求項１〜６のいずれか１つに記載の切削インサート。
【請求項８】
第１端から第２端にかけて延びた板形状であって、前記第１端の側に位置するポケットを有するホルダと、
前記ポケット内に位置する、請求項１〜７のいずれか１つに記載の切削インサートと、を有する切削工具。
【請求項９】
被削材を回転させる工程と、
回転している前記被削材に請求項８に記載の切削工具を接触させる工程と、
前記切削工具を前記被削材から離す工程と、を備えた切削加工物の製造方法。
【発明の詳細な説明】
【関連出願の相互参照】
【０００１】
本出願は、２０１９年２月２６日に出願された日本国特許出願２０１９−０３２４９３号の優先権を主張するものであり、この先の出願の開示全体を、ここに参照のために取り込む。
【技術分野】
【０００２】
本開示は、切削加工において用いられる切削インサートに関する。具体的には、溝入れ加工のような旋削加工に用いられる回転工具に関する。
【背景技術】
【０００３】
金属などの被削材を旋削加工する際に用いられる切削インサートとして、例えば、特表２０１１−５２０６３０号公報（特許文献１）に記載の切削チップが知られる。特許文献１に記載の切削チップ（切削インサート）は、上面、下面及び周辺側面を有する。周辺側面は、前方端面及び後方端面を有する。下面は、中心軸（縦軸）に沿って延びたＶ字溝の形状の拘束面を有する。拘束面は、前方端面の側に位置する第１の表面成分と、後方端面の側に位置する第２の表面成分と、を有する。そして、第２の表面成分におけるくさび角が、第１の表面成分におけるくさび角よりも小さい。【０００４】
特許文献１に記載の切削インサートを用いて切削加工を行った場合には、第２の表面成分が後方端面の側に位置していることから、第２の表面成分にも切削加工の主分力による切削負荷が伝わり易い。第２の表面成分におけるくさび角が相対的に小さいことから、第２の表面成分において切削インサートの耐久性が低下する恐れがある。
【発明の概要】
【０００５】
本開示の限定されない態様に基づく切削インサートは、上面、下面、前側面及び後側面を有する。下面は、上面の反対側に位置する。前側面は、上面及び下面の間に位置する。後側面は、上面及び下面の間であって、前側面の反対側に位置する。上面は、第１上刃及び上拘束面を有する。第１上刃は、前側面との交わりに位置する。上拘束面は、第１上刃よりも後側面の近くに位置し、ホルダに当接可能である。下面は、ホルダに当接可能な下拘束面を有する。下拘束面は、前側面の近くに位置する領域から後側面に向かって延びたＶ字形状の下溝を有する。下溝は、第１領域、第２領域及び第３領域を有する。第１領域は、上拘束面の反対側に位置する。第２領域は、第１領域よりも前側面の側に位置する。第３領域は、第１領域よりも後側面の側に位置する。下溝の延びた方向に直交する断面において、第１領域のくさび角を第１角、第２領域のくさび角を第２角、第３領域のくさび角を第３角とする。第１角が、第２角及び第３角よりも小さい。
【図面の簡単な説明】
【０００６】
【図１】限定されない一例の切削インサートを示す斜視図である。
【図２】図１に示す切削インサートを上面の側から見た平面図である。
【図３】図１に示す切削インサートを下面の側から見た平面図である。
【図４】図２に示す切削インサートを前側面の側から見た平面図である。
【図５】図２に示す切削インサートを後側面の側から見た平面図である。
【図６】図２に示す切削インサートをＡ１方向から見た側面図である。
【図７】図６に示す切削インサートにおけるＶＩＩ−ＶＩＩ断面の断面図である。
【図８】図６に示す切削インサートにおけるＶＩＩＩ−ＶＩＩＩ断面の断面図である。
【図９】図６に示す切削インサートにおけるＩＸ−ＩＸ断面の断面図である。
【図１０】図６に示す切削インサートにおけるＸ−Ｘ断面の断面図である。
【図１１】限定されない一例の切削工具を示す斜視図である。
【図１２】図１１に示す領域Ｂ１における拡大図である。
【図１３】限定されない一例の切削加工物の製造方法における一工程を示す概略図である。
【図１４】限定されない一例の切削加工物の製造方法における一工程を示す概略図である。
【図１５】限定されない一例の切削加工物の製造方法における一工程を示す概略図である。
【図１６】限定されない一例の切削加工物の製造方法における一工程を示す概略図である。
【発明を実施するための形態】
【０００７】
＜インサート＞
以下、本開示の限定されない複数の実施形態の切削インサート１（以下、単にインサート１とも言う。）について、図面を用いて詳細に説明する。但し、以下で参照する各図では、説明の便宜上、各実施形態を説明する上で必要な主要部材のみが簡略化して示される。したがって、インサート１は、参照する各図に示されていない任意の構成部材を備え得る。また、各図中の部材の寸法は、実際の構成部材の寸法及び各部材の寸法比率等を忠実に表したものではない。
【０００８】
インサート１は、上面３、下面５、前側面７及び後側面９を有してもよい。下面５は、上面３の反対側に位置してもよい。前側面７及び後側面９は、それぞれ上面３及び下面５の間に位置してもよい。このとき、後側面９は、前側面７の反対側に位置してもよい。前側面７及び後側面９は、それぞれ上面３及び下面５に接続されてもよい。
【０００９】
インサート１は、これらの面に加えて第１側面１１及び第２側面１３を有してもよい。第１側面１１及び第２側面１３は、それぞれ上面３及び下面５の間、且つ、前側面７及び後側面９の間に位置してもよい。このとき、第１側面１１及び第２側面１３は、それぞれ上面３、下面５、前側面７及び後側面９に接続されてもよい。
【００１０】
インサート１は、図１に示すように、上面３、下面５、前側面７、後側面９、第１側面１１及び第２側面１３を有する四角柱形状であってもよい。図１に示す一例のように、インサート１は、中心軸Ｏ１に沿って先端から後端に向かって延びた角柱形状であってもよい。
【００１１】
前側面７は先端に位置し、また、後側面９は、後端に位置してもよい。図１に示す一例のように、前側面７及び後側面９がそれぞれ四角形であって、前側面７から後側面９に向かって、上面３、下面５、第１側面１１及び第２側面１３の４つの面がそれぞれ延びてもよい。
【００１２】
上面３、下面５、前側面７、後側面９、第１側面１１及び第２側面１３は、それぞれ特定の大きさに限定されない。例えば、上面３を正面視した場合（上面視した場合）における中心軸Ｏ１に沿った方向での上面３の長さは、３〜５０［ｍｍ］程度に設定されてもよい。上面視した場合における中心軸Ｏ１に直交する方向での上面３の長さは、１．５〜１５［ｍｍ］程度に設定されてもよい。また、上面３及び下面５の間隔で示されるインサート１の高さは、２〜２０［ｍｍ］程度に設定されてもよい。
【００１３】
上面３は、第１上刃１５及び上拘束面１７を有してもよい。第１上刃１５は、上面３における前側面７との交わりに位置してもよい。第１上刃１５は、上面３及び前側面７の交わりの全体に位置してもよく、また、上面３及び前側面７の交わりの一部のみに位置してもよい。第１上刃１５は、被削材の切削に用いられてもよい。図１に示す一例における第１上刃１５は、一般的に、前切刃或いは主切刃と呼ばれる。
【００１４】
上拘束面１７は、第１上刃１５よりも後側面９の近くに位置してもよい。上拘束面１７は、インサート１をホルダに取り付けた際にホルダに当接可能である。上拘束面１７は、上面３における後端の側の端部、すなわち後側面９との交わりを含んでもよく、また、この交わりから離れてもよい。
【００１５】
上面３は、第１上刃１５に沿って位置するすくい面１９を有してもよい。すくい面１９は、上拘束面１７に接続されてもよく、また、上拘束面１７から離れてもよい。また、上面３は、切刃として第１上刃１５に加えて第２上刃２１をさらに有してもよい。
【００１６】
第２上刃２１は、例えば、上面３における第１側面１１との交わり、或いは、上面３における第２側面１３との交わりに位置してもよい。例えば、図１に示すように、上面３における第１側面１１との交わり、及び、上面３における第２側面１３との交わりのそれぞれに第２上刃２１が位置してもよい。
【００１７】
下面５は、下拘束面２３を有してもよい。下拘束面２３は、下面５の全体に位置してもよく、また、下面５の一部のみに位置してもよい。下拘束面２３は、インサート１をホルダに取り付けた際にホルダに当接可能である。下拘束面２３及び上拘束面１７をホルダに当接させることによって、インサート１をホルダで把持することが可能である。
【００１８】
下拘束面２３は、前側面７の近くに位置する領域から後側面９に向かって延びた下溝２５を有してもよい。下溝２５は、前側面７に対して開口してもよく、また、前側面７から離れてもよい。同様に、下溝２５は、後側面９に対して開口してもよく、また、後側面９から離れてもよい。図３に示す一例のように、下溝２５は、前側面７及び後側面９から離れてもよい。
【００１９】
図３に示す一例において、下溝２５は、前側面７の側から後側面９の側に向かって延びていることから、中心軸Ｏ１に対して平行に延びている、と言い換えてもよい。下溝２５は、その延びる方向に直交する断面、言い換えれば、中心軸Ｏ１に直交する断面において、Ｖ字形状であってもよい。
【００２０】
なおここで、下溝２５がＶ字形状であるとは、下溝２５の底から離れるにしたがって間隔が広くなる一対の傾斜面２７を有することを意味してもよい。そのため、例えば、下溝２５の底に、一対の傾斜面２７を接続する凹曲面２９が位置してもよい。
【００２１】
下溝２５は、第１領域３１、第２領域３３及び第３領域３５を有してもよい。第１領域３１は、上拘束面１７の反対側に位置してもよい。第２領域３３は、第１領域３１よりも前側面７の側に位置してもよい。第２領域３３は、前側面７の側の端部を含んでもよく、また、前側面７から離れてもよい。第３領域３５は、第１領域３１よりも後側面９の側に位置してもよい。第３領域３５は、後側面９の側の端部を含んでもよく、また、後側面９から離れてもよい。
【００２２】
第１領域３１、第２領域３３及び第３領域３５は、それぞれＶ字形状であってもよい。ここで、下溝２５の延びた方向に直交する断面、言い換えれば中心軸Ｏ１に直交する断面における、第１領域３１、第２領域３３及び第３領域３５それぞれの形状を比較する。具体的には、下溝２５の延びた方向に直交する断面において、第１領域３１のくさび角を第１角θ１、第２領域３３のくさび角を第２角θ２、第３領域３５のくさび角を第３角θ３とする。
【００２３】
なお、上記における「くさび角」とは、中心軸Ｏ１に直交する断面における一対の傾斜面２７のなす角を意味してもよい。すなわち、中心軸Ｏ１に直交するとともに第１領域３１を通る断面における下溝２５のくさび角が、第１角θ１であってもよい。中心軸Ｏ１に直交するとともに第２領域３３を通る断面における下溝２５のくさび角が、第２角θ２であってもよい。中心軸Ｏ１に直交するとともに第３領域３５を通る断面における下溝２５のくさび角が、第３角θ３であってもよい。Ｖ字形状の溝におけるくさび角は、開き角とも呼ばれる。
【００２４】
第１角θ１は、第２角θ２及び第３角θ３より小さくてもよい。この場合には、インサート１の耐久性が高い。第１角θ１が相対的に小さいことから、上面視した場合における中心軸Ｏ１に直交する方向でのインサート１の位置ずれが生じにくい。
【００２５】
さらに、第２角θ２及び第３角θ３が相対的に大きい場合には、切削加工時にインサート１に加わる主分力が、前側面７の側に位置する第２領域３３、及び、後側面９の側に位置する第３領域３５で受け止められ易い。主分力が第２領域３３及び第３領域３５で受け止められ易いことから、これらの領域の間に位置する第１領域３１に、上記の主分力が加わりにくい。そのため、インサート１の耐久性が高い。
【００２６】
第１角θ１、第２角θ２及び第３角θ３は、特定の値に限定されない。第１角θ１は、例えば１００°〜１４０°に設定されてもよい。第２角θ２は、例えば１２０°〜１６０°に設定されてもよい。第３角θ３は、例えば１２０°〜１６０°に設定されてもよい。
【００２７】
第１角θ１、第２角θ２及び第３角θ３は、それぞれ一定であっても変化してもよい。例えば、第１角θ１が変化するとともに、第２角θ２及び第３角θ３が一定であってもよい。具体的には、第１領域３１が、前側面７の側に位置して、後側面９に近づくにしたがってくさび角が大きくなる第１部分３７と、後側面９の側に位置して、前側面７に近づくにしたがってくさび角が大きくなる第２部分３９と、を有してもよい。
【００２８】
第１領域３１が上記の第１部分３７を有する場合には、第１領域３１及び第２領域３３の境界において、くさび角が急激に変化することが避けられ易い。また、第１領域３１が上記の第２部分３９を有する場合には、第１領域３１及び第３領域３５の境界において、くさび角が急激に変化することが避けられ易い。そのため、インサート１の耐久性がさらに高い。
【００２９】
また、第２角θ２が一定である場合には、第２領域３３における一対の傾斜面２７が平面形状であってもよい。この場合、第２領域３３がホルダに面接触し易い。同様に、第３角θ３が一定である場合には、第３領域３５における一対の傾斜面２７が平面形状であってもよい。この場合、第３領域３５がホルダに面接触し易い。この場合には、上記した主分力が、第２領域３３及び第３領域３５でさらに受け止められ易い。
【００３０】
なお、第１角θ１、第２角θ２及び第３角θ３が変化する場合には、それぞれの最大値を比較すればよい。
【００３１】
第２角θ２は、第３角θ３と同じであってもよく、また、第３角θ３より小さくてもよい。図８及び図９に示す一例における第２角θ２は、第３角θ３よりも小さい。第２領域３３は、第１領域３１及び第３領域３５と比較して前側面７の近くに位置してもよい。すなわち、第２領域３３は、第１領域３１及び第３領域３５と比較して第１上刃１５の近くに位置してもよい。
【００３２】
切削加工時に切削負荷が加わる第１上刃１５の近くに位置する第２領域３３における第２角θ２が第３角θ３よりも小さい場合には、上面視した場合における中心軸Ｏ１に直交する方向でのインサート１の位置ずれが生じにくい。
【００３３】
上拘束面１７は、前側面７の近くに位置する領域から後側面９に向かって延びた上溝４１を有してもよい。上溝４１は、前側面７に対して開口してもよく、また、前側面７から離れてもよい。同様に、上溝４１は、後側面９に対して開口してもよく、また、後側面９から離れてもよい。
【００３４】
図３に示す一例において、上溝４１は、前側面７の側から後側面９の側に向かって延びることから、中心軸Ｏ１に対して平行に延びている、と言い換えてもよい。上溝４１は、その延びる方向に直交する断面、言い換えれば、中心軸Ｏ１に直交する断面において、Ｖ字形状であってもよい。すなわち、上溝４１は、上溝４１の底から離れるにしたがって間隔が広くなる一対の傾斜面２７を有してもよい。
【００３５】
上拘束面１７が上溝４１を有する場合には、インサート１をホルダで安定して把持することが可能である。特に、上溝４１が下溝２５に対して平行に延びる場合には、インサート１をホルダでさらに安定して把持することが可能である。
【００３６】
図１０に示す一例のように、上溝４１がＶ字形状である場合において、上溝４１のくさび角を第４角θ４とする。このとき、第１角θ１が、第４角θ４と同じであってもよく、また、第４角θ４より小さくてもよい。第１角θ１が第４角θ４よりも小さい、言い換えれば、第４角θ４が第１角θ１よりも大きい場合には、インサート１の耐久性がさらに高い。第１角θ１を相対的に小さな値にしつつ、上溝４１の底から下溝２５の底にかけてクラックが生じるおそれを小さくできる。
【００３７】
上溝４１及び下溝２５の互いに反対側に位置する部分の少なくとも一部において、くさび角が同じである場合には、インサート１をホルダで安定して把持できる。例えば、第３領域３５が、上拘束面１７の反対側に位置する第１部位４３を有し、第１部位４３における第３角θ３が、第４角θ４と同じであってもよい。
【００３８】
なお、ここで角度が同じであるとは、２つの角度が厳密に同じでなくてもよい。２つの角度が２°程度の僅かな違いである場合には、これらの角度が同じであると見做してもよい。
【００３９】
上記したように、下溝２５の底に、一対の傾斜面２７を接続する凹曲面２９が位置してもよい。例えば、第１領域３１における凹曲面形状の底を第１底部２９ａ、第１領域３１における一対の傾斜面２７を第１傾斜面２７ａとする。すなわち、第１領域３１が、凹曲面形状の第１底部２９ａと、下溝２５の延びた方向に沿って第１底部２９ａに接続された平らな第１傾斜面２７ａと、を有してもよい。
【００４０】
ここで、下溝２５の延びた方向における第１底部２９ａの幅を第１幅Ｗ１、下溝２５の延びた方向における第１傾斜面２７ａの幅を第２幅Ｗ２とする。このとき、第１幅Ｗ１の最大値が、第２幅Ｗ２の最大値より小さくてもよい。この場合には、上面視した場合における中心軸Ｏ１に直交する方向でのインサート１の位置ずれがさらに生じにくい。
【００４１】
例えば、第２領域３３における凹曲面形状の底を第２底部２９ｂ、第２領域３３における一対の傾斜面２７を第２傾斜面２７ｂとする。すなわち、第２領域３３が、凹曲面形状の第２底部２９ｂと、下溝２５の延びた方向に沿って第２底部２９ｂに接続された平らな第２傾斜面２７ｂと、を有してもよい。
【００４２】
ここで、下溝２５の延びた方向における第２底部２９ｂの幅を第３幅Ｗ３、下溝２５の延びた方向における第２傾斜面２７ｂの幅を第４幅Ｗ４とする。このとき、第３幅Ｗ３の最大値が、第４幅Ｗ４の最大値より大きくてもよい。この場合には、第２領域３３の耐久性が高い。
【００４３】
インサート１の材質としては、例えば、超硬合金、サーメット及びセラミックスなどの無機材料が挙げられ得る。超硬合金の組成としては、例えば、ＷＣ（炭化タングステン）−Ｃｏ、ＷＣ−ＴｉＣ（炭化チタン）−Ｃｏ及びＷＣ−ＴｉＣ−ＴａＣ（炭化タンタル）−Ｃｏが挙げられ得る。ここで、ＷＣ、ＴｉＣ及びＴａＣは硬質粒子であり、Ｃｏは結合相であってもよい。
【００４４】
また、サーメットは、セラミック成分に金属を複合させた焼結複合材料であってもよい。具体的には、サーメットとして、ＴｉＣ又はＴｉＮ（窒化チタン）を主成分とした化合物が挙げられ得る。インサート１の材質がこれらに限定されないことは言うまでもない。
【００４５】
また、特に図示はしないが、インサート１は、上記の材質を含有する本体及びこの本体を被覆する被覆層を備えた構成であってもよい。被覆層の材質としては、例えば、チタンの炭化物、窒化物、酸化物、炭酸化物、窒酸化物、炭窒化物及び炭窒酸化物などが挙げられ得る。
【００４６】
被覆層は、上記の材質のうち１つのみを含有していてもよく、複数を含有していてもよい。また、被覆層は、１つのみの層によって構成されていてもよく、複数の層が積層された構成であってもよい。なお、被覆層の材質は、これらに限定されない。
【００４７】
被覆層は、化学蒸着（ＣＶＤ）法又は物理蒸着（ＰＶＤ）法を用いることによって、基体の上に位置させることができる。
【００４８】
＜切削工具＞
次に、本開示の限定されない複数の実施形態の切削工具１０１について図面を用いて説明する。
【００４９】
限定されない実施形態の切削工具１０１は、ホルダ１０３及びインサート１を有してもよい。ホルダ１０３は、棒形状であってもよく、また、図１１に示すように、第１端（図１１における右下端）から第２端（図１１における左上端）にかけて延びた板形状であってもよい。
【００５０】
また、ホルダ１０３は第１端の側に位置するポケット１０５を有してもよい。図１２に示す一例のように、ホルダ１０３が第１端の側に位置するとともに互いに離れて位置する上顎１０７及び下顎１０９を有し、この上顎１０７及び下顎１０９によってポケット１０５が構成されてもよい。
【００５１】
インサート１は、ポケット１０５に位置してもよい。言い換えれば、インサート１は、上顎１０７及び下顎１０９によって挟まれてもよい。インサート１は、切刃として用いられる部分の少なくとも一部がホルダ１０３から外方に突出するように装着されてもよい。
【００５２】
ホルダ１０３の部材として、鋼及び鋳鉄などが用いられてもよい。特に、これらの部材の中で鋼が用いられた場合には、ホルダ１０３の靱性が高い。
【００５３】
図１１に示す一例においては、いわゆる旋削加工に用いられる切削工具１０１が示されている。限定されない実施形態の切削工具１０１は、溝入れ加工において用いられることが可能であるが、このような加工に限定されない。例えば、限定されない実施形態の切削工具１０１が、内径加工、外径加工及び横送り加工に用いられても何ら問題ない。
【００５４】
＜切削加工物の製造方法＞
次に、本開示の限定されない複数の実施形態の切削加工物２０１の製造方法について図面を用いて説明する。
【００５５】
切削加工物２０１は、被削材２０３を切削加工することによって作製され得る。限定されない実施形態における切削加工物２０１の製造方法は、以下の工程を備えてもよい。すなわち、
（１）被削材２０３を回転させる工程と、
（２）回転している被削材２０３に上記の限定されない実施形態に代表される切削工具１０１を接触させる工程と、
（３）切削工具１０１を被削材２０３から離す工程と、
を備えてもよい。
【００５６】
より具体的には、まず、図１３に示すように、被削材２０３を軸Ｏ２の周りで回転させるとともに、被削材２０３に工作機械３０１に取り付けられた切削工具１０１を相対的に近付けてもよい。次に、図１４及び図１５に示すように、切削工具１０１における稜線（切刃）を被削材２０３に接触させて、被削材２０３を切削してもよい。そして、図１６に示すように、切削工具１０１を被削材２０３から相対的に遠ざけてもよい。
【００５７】
図１３においては、軸Ｏ２を固定するとともに被削材２０３を軸Ｏ２の周りで回転させた状態で切削工具１０１をＹ１方向に移動させることによって被削材２０３に近づけてもよい。また、図１４及び図１５においては、回転している被削材２０３にインサート１における切刃を接触させることによって被削材２０３を切削してもよい。また、図１６においては、被削材２０３を回転させた状態で切削工具１０１をＹ２方向に移動させることによって遠ざけてもよい。
【００５８】
なお、限定されない実施形態の製造方法における切削加工では、それぞれの工程において、切削工具１０１を動かすことによって、切削工具１０１を被削材２０３に接触させる、あるいは、切削工具１０１を被削材２０３から離しているが、当然ながらこのような形態に限定されない。
【００５９】
例えば、（１）の工程において、被削材２０３を切削工具１０１に近づけてもよい。同様に、（３）の工程において、被削材２０３を切削工具１０１から遠ざけてもよい。切削加工を継続する場合には、被削材２０３を回転させた状態を維持して、被削材２０３の異なる箇所にインサート１における切刃を接触させる工程を繰り返せばよい。
【００６０】
なお、被削材２０３の材質の代表例としては、炭素鋼、合金鋼、ステンレス、鋳鉄、又は非鉄金属などが挙げられ得る。
【符号の説明】
【００６１】
１・・・インサート
３・・・上面
５・・・下面
７・・・前側面
９・・・後側面
１１・・・第１側面
１３・・・第２側面
１５・・・第１上刃
１７・・・上拘束面
１９・・・すくい面
２１・・・第２上刃
２３・・・下拘束面
２５・・・下溝
２７・・・傾斜面
２７ａ・・第１傾斜面
２７ｂ・・第２傾斜面
２９・・・凹曲面
２９ａ・・第１底部
２９ｂ・・第２底部
３１・・・第１領域
３３・・・第２領域
３５・・・第３領域
３７・・・第１部分
３９・・・第２部分
４１・・・上溝
４３・・・第１部位
１０１・・・切削工具
１０３・・・ホルダ
１０５・・・ポケット
１０７・・・上顎
１０９・・・下顎
２０１・・・切削加工物
２０３・・・被削材
３０１・・・工作機械
Ｏ１・・・中心軸
Ｏ２・・・軸
θ１・・・第１角
θ２・・・第２角
θ３・・・第３角
θ４・・・第４角
Ｗ１・・・第１幅
Ｗ２・・・第２幅
Ｗ３・・・第３幅
Ｗ４・・・第４幅
【図１】
2020175457.tif 000003
【図２】
2020175457.tif 000004
【図３】
2020175457.tif 000005
【図４】
2020175457.tif 000006
【図５】
2020175457.tif 000007
【図６】
2020175457.tif 000008
【図７】
2020175457.tif 000009
【図８】
2020175457.tif 000010
【図９】
2020175457.tif 000011
【図１０】
2020175457.tif 000012
【図１１】
2020175457.tif 000013
【図１２】
2020175457.tif 000014
【図１３】
2020175457.tif 000015
【図１４】
2020175457.tif 000016
【図１５】
2020175457.tif 000017
【図１６】
2020175457.tif 000018
【国際調査報告】
2020175457.tif 000019
2020175457.tif 000020
2020175457.tif 000021
2020175457.tif 000022